(57)【要約】【課題】  乾燥ファンにより吸入される空気を案内するためのエアガイドの形状および大きさを調節することで、騒音を低減し、エアガイドの製作にかかる材料費を節減することができる乾燥機の空気循環構造を提供する。【解決手段】  洗濯物が収容される乾燥ドラムと、乾燥ドラムを回転させるモータと、乾燥ドラム内に流入される循環空気を加熱するヒータとを備える乾燥機において、乾燥ドラムの後側に取り付けられ、乾燥ドラムを保護するバックカバーと、バックカバーの一側に取り付けられ、循環空気を吸入する乾燥ファンと、乾燥ファンの外径から所定距離離間して設けられ、乾燥ファンにより吸入された循環空気の流れを案内し、循環空気の流れ方向を二分するように折り曲げ部を有するエアガイドと、を含む。【選択図】  図５
2005177475.tif 000002
【特許請求の範囲】
【請求項１】
洗濯物が収容される乾燥ドラムと、前記乾燥ドラムを回転させるモータと、前記乾燥ドラム内に流入される循環空気を加熱するヒータとを備える乾燥機において、
前記乾燥ドラムの後側に取り付けられ、前記乾燥ドラムを保護するバックカバーと、
前記バックカバーの一側に取り付けられ、前記循環空気を吸入する乾燥ファンと、
前記乾燥ファンの外径から所定距離離間して設けられ、前記乾燥ファンにより吸入された前記循環空気の流れを案内し、前記循環空気の流れ方向を二分するように折り曲げ部を有するエアガイドと、
を含むことを特徴とする乾燥機の空気循環構造。
【請求項２】
前記折り曲げ部は、前記エアガイドの上端部により近い位置に設けられていることを特徴とする請求項１に記載の乾燥機の空気循環構造。
【請求項３】
前記折り曲げ部は、前記乾燥ファンの回転軸を基準に所定の角度（φ）だけ背面に傾斜して形成されることを特徴とする請求項１に記載の乾燥機の空気循環構造。
【請求項４】
前記折り曲げ部は、前記乾燥ファンの回転軸を基準に所定の角度（θ）だけ上方に傾斜して形成されることを特徴とする請求項１に記載の乾燥機の空気循環構造。
【請求項５】
前記折り曲げ部の上端部に形成される前記エアガイド面の折り曲げ角（α）は、前記折り曲げ部の下端部に形成される前記エアガイド面の折り曲げ角（β）より大きく形成されることを特徴とする請求項１に記載の乾燥機の空気循環構造。
【請求項６】
前記エアガイドは、プラスチック射出物であることを特徴とする請求項１に記載の乾燥機の空気循環構造。
【請求項７】
乾燥ドラム内に収容された洗濯物を乾燥させる乾燥機において、
前記乾燥ドラムの後壁を保護するバックカバーと、
前記乾燥ドラムから出た循環空気を吸入するため、前記バックカバーの下側に取り付けられる乾燥ファンと、
前記乾燥ファンの一側に取り付けられ、前記乾燥ファンにより吐き出される循環空気の流れを二分する折り曲げ部と、前記バックカバーに密着するようにするため底面が折り曲げられて形成される結合リブと、前記結合リブを貫通する少なくとも１つ以上の挿入溝とを有するエアガイドと、
前記乾燥ファンおよび前記エアガイドを覆うダクトカバーと、
を含むことを特徴とする請求項１に記載の乾燥機の空気循環構造。
【請求項８】
前記挿入溝は、前記折り曲げ部を基準に上側部分に形成されることを特徴とする請求項７に記載の乾燥機の空気循環構造。
【請求項９】
前記結合リブは、前記挿入溝が形成される地点に設けられ、所定の高さを有する摩耗防止用段付き部をさらに含むことを特徴とする請求項７に記載の乾燥機の空気循環構造。
【請求項１０】
前記エアガイドの一部を取り囲み、前記エアガイド面に沿って下方に移動する循環空気が乾燥ドラム内に案内されるようにするために取り付けられるエアシーリングガイドをさらに含むことを特徴とする請求項７に記載の乾燥機の空気循環構造。
【請求項１１】
前記エアガイドは、前記折り曲げ部を基準に下端が上端に比べて長く形成されることを特徴とする請求項７に記載の乾燥機の空気循環構造。
【請求項１２】
前記エアガイドは、前記バックカバーから着脱自在に設けられていることを特徴とする請求項７に記載の乾燥機の空気循環構造。
【発明の詳細な説明】
【技術分野】
【０００１】
本発明は、乾燥に関し、より詳しくは、乾燥ファンにより吸入される循環空気が乾燥ダクト内で一定の方向に案内されるようにすることで、乾燥ダクト内において循環空気による騒音が低減されるように乾燥ダクトが改善された乾燥機の空気循環構造に関する。
【背景技術】
【０００２】
一般に、乾燥機は、洗濯および脱水が終わった洗濯物に含まれた水分を完全に除去するための家電機器である。また、前記乾燥機は、ドラム内部の空気が凝縮器とヒータを経て再びドラム内部に流入され、ドラム内の空気が外部へ排出されずに乾燥機の内部で循環する凝縮式乾燥機と、ドラム内の空気が凝縮器を通りながら水分が除去された後、外部へ排出される排気式乾燥機と、に大別される。
具体的に、凝縮式乾燥機の場合、乾燥機内部を循環する循環空気は、ドラム内部で洗濯物に含まれた水分を吸収した後、凝縮器を通りながら熱交換により温度が下がるようになる。そして、温度が下がりながら内部に含まれた水分が凝縮される。また、前記凝縮された凝縮水は、凝縮ポンプでポンピングされ、最終的に外部に排出される。
また、排気式乾燥機は、ドラム内部で洗濯物の水分を吸収した高温多湿な状態の空気がリントフィルタを経て乾燥機の外部に排出される方式を採っている。
【発明の開示】
【発明が解決しようとする課題】
【０００３】
しかし、このような凝縮式および排気式の乾燥機は、ドラム内部に収容された洗濯物が前記ドラムの回転により上昇と落下とを繰り返しながらドラム内の高温乾燥した空気との熱交換が活発に行われるという点において同様である。
また、前記凝縮式乾燥機の場合は、ドラムから出た循環空気が乾燥機の内部で循環流動するためには、乾燥ファンと、前記乾燥ファンから吐き出される空気の流れを案内するための空気案内手段と、前記乾燥ファンから吐き出される空気の流動管路となる乾燥ダクトとが必要である。
ここで、前記乾燥ファンの外周に沿って形成される空気案内手段である従来のエアガイドは、金属板製で、前記乾燥ファンの全体を取り囲むような形状をしているため、前記循環空気が前記エアガイドに沿って移動する時にひどい騒音が発生するという問題点があった。
また、前記エアガイドは、前記乾燥ファン全体を取り囲むことのできるほどの大きさを有する必要があるため、材料費がアップするという問題点もあった。
【０００４】
本発明は、前述のような問題点を解決するためになされたものであって、前記乾燥ファンにより吸入される空気を案内するためのエアガイドの形状および大きさを調節することで、騒音を低減し、エアガイドの製作にかかる材料費を節減することができる乾燥機の空気循環構造を提供することにある。
また、本発明は、前記エアガイドの位置を適切に調節して乾燥機のダクト構造を改善することで、空気循環効率が増大した乾燥機の空気循環構造を提供することにある。
【課題を解決するための手段】
【０００５】
上記のような目的を達成するための本発明の一側面によれば、本発明に係る乾燥機の空気循環構造は、乾燥ドラムと、前記乾燥ドラムの後側に取り付けられ、前記乾燥ドラムを保護するバックカバーと、前記バックカバーの一側に取り付けられ、循環空気を吸入する乾燥ファンと、前記乾燥ファンの外径から所定距離離間して設けられ、前記乾燥ファンにより吸入された循環空気の流れを案内し、前記循環空気の流れの方向を二分するように折り曲げ部を有するエアガイドと、を含む。
本発明の他の側面によれば、本発明に係る乾燥機の空気循環構造は、バックカバーと、乾燥ドラムから出た循環空気を吸入するため前記バックカバーの下側に取り付けられる乾燥ファンと、前記乾燥ファンの一側に取り付けられて前記乾燥ファンにより吐き出される循環空気の流れを二分する折り曲げ部、前記バックカバーに密着するようにするため底面が折り曲げられて形成される結合リブおよび前記結合リブを貫通する少なくとも１つ以上の挿入溝を有するエアガイドと、前記乾燥ファンおよび前記エアガイドを覆うダクトカバーと、を含む。
本発明のまた他の側面によれば、本発明に係る乾燥機の空気循環構造は、バックカバーと、乾燥ドラムから出た循環空気を吸入するため、前記バックカバーの下側に取り付けられる乾燥ファンと、前記乾燥ファンの一側に取り付けられ、前記乾燥ファンにより吐き出される循環空気の流れを案内するエアガイドと、前記乾燥ファンの一部を取り囲み、前記循環空気の外部への漏れを防止するためのエアシーリングガイドと、を含む。
本発明のさらに他の側面によれば、本発明に係る乾燥機の空気循環構造は、乾燥ファンと、前記乾燥ファンから吐き出される循環空気の流れを案内するため折り曲げおよび傾斜した形状をなすエアガイドと、前記エアガイドの下端部を連結して前記循環空気を上方に案内するエアシーリングガイドと、前記エアシーリングガイドにより案内された循環空気が流入されて熱を伝達されるヒータと、前記ヒータにより加熱された循環空気がドラム内へ流入されるための流入口を有するドラムカバーと、を含む。
【発明の効果】
【０００６】
以上のような構成を有する本発明に係る乾燥機の空気循環構造によれば、乾燥ダクト内部から発生する騒音が低減すると共に風量が増加する効果が得られる。
また、本発明に係るエアガイドの形状を自由に製作でき、前記エアガイドの製作にかかる費用も節減できる効果が得られる。
【発明を実施するための最良の形態】
【０００７】
以下、添付の図面を参照して本発明の好適な実施例を詳しく説明する。なお、本発明の思想は、後述の実施例に限定されるものではなく、他の構成要素の追加、変更、削除などにより、退歩的な他の発明や本発明の思想範囲内に含まれる他の実施例を容易に提案することができる。
【実施例】
【０００８】
図１は、本発明の思想に係る空気循環構造を有する凝縮式ドラム乾燥機を概略的に示す断面図であり、図２は、同乾燥機の外観斜視図である。
【０００９】
図１および図２を参照するに、本発明に係る空気循環構造を備えた凝縮式ドラム乾燥機２００は、外観を形成する外筐体２１０と、前記外筐体２１０内部に取り付けられ、その内部に洗濯物が収容される円筒形状のドラム２２０と、前記ドラム２２０の開閉を調節するドア２３０と、前記ドラム２２０の外周面に張架されて前記ドラム２２０が回転するようにするベルト２２１とを有する。
具体的に、前記外筐体２１０は、乾燥機２２０の上部を保護するアッパーカバー２１１と、前記乾燥機２２０の側面を保護するサイドカバー２１２と、前記乾燥機２２０の背面を保護するバックカバー２１３とを備える。
また、前記ベルト２２１と連結され、前記ドラム２２０に回転力を伝達するためのモータ軸２８０と、前記モータ軸２８０に連結され、回転力を提供するモータ２７０と、前記モータ軸２８０の一側端部に連結され、前記モータ２７０の回転力で回転しながら室内空気を吸入する冷却ファン２６０とを含む。また、前記モータ軸２８０の他側端部に連結され、前記ドラム２２０内の空気を循環させる乾燥ファン１７０と、前記乾燥ファン１７０により吸入された空気が前記ドラム２２０に移動されるように前記乾燥ファン１７０と前記ドラム２００の後面とを連結するダクトカバー１１０とを含む。具体的に、前記冷却ファン２６０と前記乾燥ファン１７０とは、前記モータ２７０を中心に互いに向かい合う位置に形成される。また、前記ダクトカバー１００内部には、前記乾燥ファン１７０と前記ヒータ１５０が収容され、前記乾燥ファン１７０により吸入された循環空気が前記ドラム２２０の後面に移動される空気流路が設けられている。
また、前記乾燥機２００は、前記ドア２３０の後面に設けられ、前記ドラム２００から出る循環空気内に含まれた毛羽などのような異物を一時的にろ過するためのドアリントフィルタ２３１と、前記ドアリントフィルタ２３１の下側に設けられ、前記ドアリントフィルタ２３１により一時的にろ過された循環空気を二次的にろ過するためのボディリントフィルタ２５０とを含む。また、前記ボディリントフィルタ２５０を経た循環空気が凝縮器３１０（図３参照）へ移動するための通路となる循環ダクト２５１をさらに含む。
【００１０】
以下、前記乾燥機２００の作動について説明する。
先ず、前記乾燥機２００に電源が印加されると、前記モータ２７０が回転し、前記ダクトカバー１１０内に取り付けられたヒータ１５０が加熱される。そして、前記モータ軸２８０に連結されたベルト２２１が回転しながら前記ドラム２２０を回転させるようになる。また、前記ドラム２２０が回転するに従ってドラム２２０内の洗濯物が前記ドラム２２０の内壁に沿って上昇した後、最上側部に至ると、自重で落下するようになる。ここで、前記洗濯物は、前記ドラム２２０の内壁に取り付けられたリフト（図示せず）によって上昇される。
なお、前記モータ軸２８０に連結された乾燥ファン１７０がモータ２７０の回転と共に回転するようになり、前記凝縮器３１０を経た循環空気が吸入される。そして、前記吸入された空気は、前記ダクトカバー１１０に沿って上昇しながら前記ヒータ１５０を経て高温乾燥した状態になる。また、前記高温乾燥した空気は、前記ドラム内部を通りながら洗濯物に含まれた水分を吸収し、高温多湿な状態になる。
また、前記高温多湿な状態の空気は、さらに前記ドアリントフィルタ２３１およびボディリントフィルタ２５０によりフィルタリングされた後、前記循環ダクト２５１に沿って凝縮器３１０に移動される。
【００１１】
一方、前記モータ軸２８０に連結された冷却ファン２６０が回転しながら前記乾燥機２００外部の室内空気を吸入するようになる。そして、前記吸入された室内空気は、冷却ファン２６０を通って前記凝縮器３１０に移動される。また、前記高温多湿な空気と前記室内空気とは、前記凝縮器３１０の形状により互いに混合されることなく熱交換が行われる。
従って、前記高温多湿な状態の循環空気は、前記凝縮器３１０を通りながら前記室内空気に熱を奪われて低温多湿な空気になる。そして、温度が下がることで循環空気内に含まれた水分が凝縮され、前記凝縮された水分が前記凝縮器３１０の底に落ち、凝縮水が集まるサンプ３５０（図３参照）に移動される。
また、前記サンプ３５０に移動された水分は、凝縮ポンプにより乾燥機の上部に位置した凝縮水貯蔵庫（図示せず）へ移動される。そして、前記凝縮器３１０を通る室内空気は、前記高温多湿な空気の熱を奪って低温多湿な状態にさせ、温度は上がるようになる。
ここで、前記乾燥ファン１７０により吸入される循環空気は、ダクトカバー１１０内に設けられたエアガイドにより回転しながら、前記ダクトカバー１１０上部に移動され、ヒータ１５０を経てドラム２２０内に入るようになる。
【００１２】
図３は、本発明の思想に係る乾燥機のベース構造を示す斜視図である。
【００１３】
図３を参照するに、前記ドラム２２０を経た循環空気は、前記ベース３００に形成された循環流路に沿って移動し、前記冷却ファン２６０により吸入された室内空気は、前記ベース３００に形成された流路に沿って移動するようになる。
具体的に、前記ベース３００内には、循環空気（Ａ）と室内空気（Ｂ）の流露が形成され、前記ベース３００の形状や流路の形成位置は、本発明の実施例に制限されるのではない。
なお、本発明に係る凝縮器３１０が設けられた前記ベース３００は、前面部の一側に形成されて前記凝縮器３１０が挿入されるための入口となる凝縮器挿入口３６０と、前記ベース３００の前面部において前記凝縮器挿入口３６０から所定距離離間して設けられる室内空気（Ｂ）吸入口３２０と、前記室内空気（Ｂ）吸入口３２０を介して室内空気（Ｂ）が吸入されるブロワ３９０と、前記ブロワ３９０の端部に形成される冷却ファン収容溝３３０とを含む。
また、前記冷却ファン収容溝３３０から所定の長さで延長形成され、前記ブロワ３３０とほぼ垂直方向に形成される凝縮ダクト３８０と、前記凝縮ダクト３８０に沿って移動して前記凝縮器３１０を通過した循環空気（Ａ）が移動される循環空気（Ａ）流路３７０とを含む。
詳しくは、前記凝縮ダクト３８０の端部は、前記凝縮器３１０と連結され、前記循環空気（Ａ）流路３７０の端部内には、前記乾燥ファン１７０が取り付けられる。そして、前記循環空気（Ａ）流路３７０の端部には、前記ダクトカバー１１０の下端と連結される乾燥ダクト連結部３７１が形成される。そして、前記冷却ファン収容溝３３０と前記乾燥ダクト連結部３７１との間には、前記モータ２７０が収容されるためのモータ収容部３４０が形成される。また、前記ベース３００のほぼ中央部内側には、前記凝縮器３１０から発生した凝縮水が溜まるサンプ３５０が設けられている。
【００１４】
上記のような構成をなすベース３００内における流体の流れについて説明する。前記ドラム２２０を通過し、前記リントフィルタ２３１、２５０を経た循環空気（Ａ）は、前記ベース３００内に取り付けられた凝縮器３１０に移動される。そして、前記凝縮器３１０を通りながら熱交換により温度が下がって凝縮水が発生する。そして、前記凝縮器３１０を通りながら低温乾燥した状態になった前記循環空気（Ａ）は、前記循環空気（Ａ）流路３７０に沿って移動される。次いで、前記ダクトカバー１１０内に形成される乾燥流路に沿って上昇する。そして、前記乾燥流路に沿って上昇しながら内部に取り付けられたヒータ１５０により加熱される。次いで、前記ヒータ１５０により高温乾燥した状態になった循環空気（Ａ）は、再びドラム内に流入されるような循環の過程を経るようになる。
なお、前記循環空気（Ａ）と熱交換する室内空気（Ｂ）は、前記室内空気（Ｂ）吸入口３２０を介して前記ブロワ３９０に流入される。ここで、前記室内空気（Ｂ）は、前記冷却ファン収容溝３３０に取り付けられる冷却ファン２６０によりブロワ３９０内に流入される。
具体的に、前記冷却ファン２６０により吸入された室内空気（Ｂ）は、前記凝縮ダクト３８０を介して前記凝縮器３１０に移動される。そして、前記凝縮器３１０を通りながら前記循環空気（Ａ）と熱交換が行われ、温度が上昇するようになる。
【００１５】
図４は、本発明の思想に係るダクトの構造を示す分解斜視図である。
【００１６】
図４を参照するに、本発明に係る空気循環構造を備えた乾燥機１００は、バックカバー２１３と、前記バックカバー２１３に取り付けられるダクトカバー１１０とを含む。
また、前記ダクト構造の内部は、前記バックカバー２１３上にダクトカバー形状に沿って所定の深さに窪んで形成されるダクトカバー収容面１８０と、前記ダクトカバー収容面１８０の内部に形成され、ドラム（図示せず）の後面を覆うドラムカバー１９０とを含む。
また、前記ドラムカバー１９０の中央を貫通して前記ドラムを支持するジャーナルベアリングシャフト１４０と、前記ドラムカバー１９０のほぼ下側部に設けられ、循環空気の温度を高めるヒータ１５０と、前記バックカバー２１３の下側縁部に設けられ、凝縮器３１０を通過しながら低温乾燥した状態になった循環空気を吸入する乾燥ファン１７０とを含む。
また、前記乾燥ファン１７０の外周面一側に収容され、前記ダクトカバー収容１８０に締結部材により取り付けられるエアガイド１６０と、前記エアガイド１６０の外周面を取り囲み、前記乾燥ファン１７０により吸入された空気がダクトカバー１１０の下部へ漏れるのを防止するため、ダクトカバー１１０の下部形状と同じ形状を有するエアシーリングガイド１６５とを含む。
【００１７】
以下、前記ダクト内部の構成要素の機能および作用について説明する。
先ず、凝縮器３１０を通過した低温乾燥した状態の循環空気が前記乾燥ファン１７０により吸入され、前記吸入された空気は、前記エアガイド１６０の内壁に沿って反時計方向に回転するようになる。ここで、前記乾燥ファン１７０は、空気が軸方向に吸入されて半径方向に排出される横流ファンであるため、吸入された空気は、前記乾燥ファン１７０の側面に設けられた前記エアガイド１６０の内壁に衝き当てられるようになる。
なお、前記エアガイド１６０の内壁に乗って回転する循環空気は、前記エアシーリングガイド１６５の内壁に乗ってダクトカバー１１０の上部に移動する。また、前記エアシーリングガイド１６５によって前記循環空気がダクトカバー１１０の外部へ漏れる現象が解消される。そして、前記ダクトカバー１１０の上部に移動した循環空気は、前記ヒータ１５０から熱を伝達される。
また、前記熱により高温乾燥した状態になった循環空気は、前記ダクトカバー１１０と連通したドラム後壁に移動し、ドラム後壁に形成された多数の貫通溝を介してドラム内部に入り込む。そして、前記ドラム２２０内部に入り込んだ循環空気は、洗濯物に含まれた水分を蒸発させ、高温多湿な状態になる。
【００１８】
図５は、本発明の思想に係るエアガイドを示す斜視図であり、図６は、図５のＡ方向から見たエアガイドの正面図であり、図７は、図５のＢ方向から見たエアガイドの側面図である。
【００１９】
図５乃至図７を参照するに、本発明に係るエアガイド１６０は、前記乾燥ファンの側面に収容される。
具体的に、前記エアガイド１６０は、下端部に折り曲げられて形成され、前記エアガイド１６０の形状に沿って形成される結合リブ１６３と、前記結合リブ１６３を貫通し、前記バックカバー２１３と係合するための係合部材が挿入される挿入溝１６１とを有する。そして、前記挿入溝１６１が形成される部位の前記結合リブ１６３上には、前記結合リブ１６３より少し高く形成される摩耗防止用段付き部が設けられている。従って、前記挿入溝１６１を貫通する係合部材の頭部と前記結合リブ１６３とが直接に当接して磨耗される現象が防止される。
なお、前記エアガイド１６０は、前記乾燥ファン１７０の半径方向に吐き出される循環空気との摩擦力を最小化することができる形状に丸みを帯びて形成されるのが好ましい。
【００２０】
具体的に、前記エアガイド１６０は、前記乾燥ファン１７０を通過した空気が２方向に流れるようにするための折り曲げ部１６２を有している。そして、前記折り曲げ部１６２を基準にして前記乾燥ファン１７０を通過した空気の一部は上方に上昇し、残りは反時計方向に回転しながら前記エアガイド１６０面に沿って下方にスムースに移動される。また、前記エアガイド１６０の着脱を可能とするため、前記挿入溝１６１は、前記折り曲げ部１６２を基準に前記結合リブ１６３の上側部にのみ形成されるのが好ましい。そして、循環空気が前記エアガイド１６０に乗って流れる時に発生する騒音を低減させるため、前記エアガイド１６０は、前記乾燥ファン１７０の一部のみを取り囲む大きさに形成するのが好ましい。
また、前記エアガイド１６０は、図７に示されたように、前記結合リブ１６３を貫通する垂直線を基準に所定の角度（φ）だけ背面に傾斜して形成される。従って、前記乾燥ファン１７０の半径方向に吐き出される循環空気が前記エアガイド１６０面に衝突して発生する騒音が著しく低減する。具体的に、前記傾斜角（φ）を適切に調節することで、循環空気とエアガイド１６０との間の衝突による騒音の周期がすれ違うようにすると、発生する騒音が約２ｄＢ程度に著しく低減される。
また、前記エアガイド１６０の折り曲げ部１６２は、図６に示されたように、前記結合リブ１６３を貫通する垂直線を基準に上方に所定の角度（θ）だけ傾斜して形成される。従って、前記乾燥ファン１７０の半径方向に吐き出されて反時計方向に回転する循環空気のほとんどが、前記折り曲げ部１６２の下方へ自然に移動し、流動損失が減少する効果が得られる。
また、前記乾燥ファン１７０から吐き出される循環空気が前記エアガイド１６０と接触して発生する流動抵抗および騒音を減少させるため、前記折り曲げ部１６２の上端部に形成される前記エアガイド１６０面の折り曲げ角（α）が前記折り曲げ部１６２の下端部に形成される前記エアガイド１６０面の折り曲げ角（β）に比べて大きく形成されることを特徴とする。
また、前記エアガイド１６０の形状を自由にできるように、従来の金属板の代わりにプラスチック射出物を用いることで、風量が増加すると共に騒音が低減する長所を有する。
【００２１】
図８は、本発明の思想に係る乾燥機のダクト内における循環空気の流れを示す斜視図である。
【００２２】
図８を参照するに、前記乾燥ファン１７０により吸入された循環空気は、前記乾燥ファン１７０の半径方向に吐き出される。そして、吐き出された循環空気は、前記エアガイド１６０の内側面に乗って流れるようになる。
前述のように、前記循環空気は、前記エアガイド１６０の折り曲げ部１６２を基準に、一部は下方に、一部は上方に移動するようになる。
具体的に、上方に移動される一部の循環空気は、直ちにヒータ１６０に入り、下方に移動される空気は、エアガイド１６０の内周面に沿って反時計方向に回転するようになる。そして、前記エアガイド１６０の外側に取り付けられ、ダクト下部の形状をなすエアシーリングガイド１６５の内周面に沿って上方に移動される。そして、前記エアシーリングガイド１６５に沿って移動される循環空気は、前記ヒータ１５０内に流入されて熱を伝達され、前記ドラム２２０後壁を介してドラム２２０内に流入される。
【図面の簡単な説明】
【００２３】
【図１】本発明の思想に係る空気循環構造を有する凝縮式ドラム乾燥機を概略的に示す断面図である。
【図２】同乾燥機の外観斜視図である。
【図３】本発明の思想に係る乾燥機のベース構造を示す斜視図である。
【図４】本発明の思想に係るダクトの構造を示す分解斜視図である。
【図５】本発明の思想に係るエアガイドを示す斜視図である。
【図６】図５のＡ方向から見たエアガイドの正面図である。
【図７】図５のＢ方向から見たエアガイドの側面図である。
【図８】本発明の思想に係る乾燥機のダクト内における循環空気の流れを示す斜視図である。
【符号の説明】
【００２４】
１００    乾燥機
１１０    ダクトカバー
１４０    ジャーナルベアリングシャフト
１５０    ヒータ
１７０    乾燥ファン
１６０    エアガイド
１６１    挿入溝
１６２    折り曲げ部
１６３    結合リブ
１６４    摩耗防止用段付き部
１６５    エアシーリングガイド
１８０    ダクトカバー収容面
１９０    ドラムカバー
２００    凝縮式ドラム乾燥機
２１０    外筐体
２１１    アッパーカバー
２１２    サイドカバー
２１３    バックカバー
２２０    ドラム
２２１    ベルト
２３０    ドア
２５０    リントフィルタ
２６０    冷却ファン
２７０    モータ
２８０    モータ軸
３００    ベース
３１０    凝縮器
３２０    室内空気吸入口
３３０    冷却ファン収容溝
３４０    モータ収容部
３５０    サンプ
３６０    凝縮器挿入口
３７０    循環空気流路
３８０    凝縮ダクト
３９０    ブロワ
【図１】
2005177475.tif 000003
【図２】
2005177475.tif 000004
【図３】
2005177475.tif 000005
【図４】
2005177475.tif 000006
【図５】
2005177475.tif 000007
【図６】
2005177475.tif 000008
【図７】
2005177475.tif 000009
【図８】
2005177475.tif 000010